(57)【特許請求の範囲】
【請求項１】
ピアノ又はオルガン用の椅子に載置されて高さを調整するためのクッションであって、
ピアノ又はオルガン用の前記椅子の高さと演奏者の体格とに基づいて厚みを変えられる板状部材と、
前記板状部材の上面を覆う柔軟部材と、
前記板状部材及び前記柔軟部材を収容する袋状部材と、
前記袋状部材を覆うカバー部材と、を備え、
前記カバー部材には携帯用の肩掛けベルトが取り付けられるとともに、前記肩掛けベルトは、前記クッションを前記椅子に固定するためにも用いることができることを特徴とする、クッション。
【請求項２】
ピアノ又はオルガン用の椅子に載置されて高さを調整するためのクッションであって、
ピアノ又はオルガン用の前記椅子の高さと演奏者の体格とに基づいて厚みを変えられる板状部材と、
前記板状部材の上面を覆う柔軟部材と、
前記板状部材及び前記柔軟部材を収容する袋状部材と、を備え、
前記板状部材の底面は、ピアノ又はオルガン用の前記椅子の上面の凸形状に対応する凹形状となっていることを特徴とする、クッション。
【請求項３】
前記板状部材は、演奏者の足が当たる部位が傾斜している傾斜部を有することを特徴とする、請求項１又は請求項２に記載されたクッション。
【請求項４】
前記板状部材と前記柔軟部材との間に、着座時における板状部材の前面側の隅角部に低反発ウレタンフォームをさらに備えることを特徴とする、請求項１乃至請求項３のいずれか一項に記載されたクッション。
【請求項５】
前記板状部材は、複数の板片を重ねて構成されることを特徴とする、請求項１乃至請求項４のいずれか一項に記載されたクッション。
【発明の詳細な説明】
【技術分野】
【０００１】
本発明は、ピアノ又はオルガン用の椅子に載置されて高さを調整するためのクッションに関するものである。
【背景技術】
【０００２】
従来から、ピアノやオルガン等の楽器の演奏時に使用される楽器演奏用椅子として、次のような構造が知られている。すなわち、従来の楽器演奏用椅子は、複数の脚部と、演奏者が座るための座部と、脚部と座部との間に介在する高さ調整装置とから主に構成されている（例えば、特許文献１参照）。
【０００３】
この楽器演奏用椅子を用いれば、演奏の前に演奏者が高さ調整装置を操作することによって座部を脚部に対して上昇又は下降させ、好みの高さに調整して演奏することができる。高さ調整装置は、脚部側に固定された脚部側フレームと、座部側に固定された座部側フレームと、これらに懸架されたパンタグラフ機構と、パンタグラフ機構を操作する棒状部材と、棒状部材先端に取り付けられるハンドル部とから主に構成されている。
【先行技術文献】
【特許文献】
【０００４】
【特許文献１】特願平８−３５６３２９号公報
【発明の概要】
【発明が解決しようとする課題】
【０００５】
しかしながら、従来の楽器演奏用椅子は大人用の椅子として製造されているため、最高の高さに調整したとしても子供が演奏するには低すぎるという問題があった。
【０００６】
さらに、従来の楽器演奏用椅子は、迅速に上昇又は下降させるにはハンドル部をきわめて迅速に回転させなければならなかった。このため、演奏会において短時間で座部の高さを調整する場合などには不向きであった。
【０００７】
そこで、本発明は、子供の使用に適しており、かつ、迅速に高さ調整できる、ピアノ用の椅子に載置されて高さを調整するためのクッションを提供する。
【課題を解決するための手段】
【０００８】
前述した課題を達成するために、本発明のクッションは、ピアノ又はオルガン用の椅子に載置されて高さを調整するためのクッションであって、前記ピアノ用の椅子の高さと演奏者の体格とに基づいて厚みを変えられる板状部材と、前記板状部材の上面を覆う柔軟部材と、前記板状部材及び前記柔軟部材を収容する袋状部材と、を備えることを特徴とする。
【０００９】
本明細書において「ピアノ又はオルガン用」という表現は、限定的ではなく、本発明は、ピアノやオルガン等の椅子に座ってペダルと鍵盤を操作する楽器（鍵盤楽器）に広く適用できる。
【発明の効果】
【００１０】
このように、本発明のクッションは、ピアノ又はオルガン用の椅子に載置されて高さを調整するためのクッションである。そして、ピアノ用の椅子の高さと演奏者の体格とに基づいて厚みを変えられる板状部材と、板状部材の上面を覆う柔軟部材と、板状部材及び柔軟部材を収容する袋状部材と、を備えている。このため、子供の使用に適しており、かつ、迅速に高さ調整できる、クッションとなる。
【図面の簡単な説明】
【００１１】
【図１】実施例のクッションの全体構成を示した側面図である。
【図２】実施例のクッションの構成を分解して示した分解斜視図である。
【図３】実施例のクッションの断面図である。低くした状態である。
【図４】実施例のクッションの断面図である。高くした状態である。
【発明を実施するための形態】
【００１２】
以下、本発明の実施の形態について図面を参照して説明する。
【実施例】
【００１３】
（構成）
まず、図１、２を用いて、本実施例のクッション１の全体構成を説明する。クッション１は、図１に示すように、ピアノ又はオルガン用の椅子８に載置されて高さを調整するために用いられる。すなわち、一般にピアノ又はオルガン用の椅子８の座面の高さは、床面から約４２ｃｍ〜約５５ｃｍの範囲で調整できるようになっている。しかしながら、従来、子供又は背の低い大人が使用する場合には、上述した範囲では依然として座面が低すぎて、肘よりも手首が上がってしまっていた。
【００１４】
このように、手首が上がってしまう姿勢は演奏姿勢として好ましくない。すなわち、椅子の高さは鍵盤９１に手を置いたときに、手首と肘がほぼ水平になるように調整することが好ましいのである。そこで、本実施例のクッション１を椅子８の上に載置して、座面をいっそう高く調整するのである。
【００１５】
クッション１は、図１に示すように、ピアノ又はオルガン用の椅子に載置されて高さを調整するためのクッション１である。そして、図２の分解斜視図に示すように、クッション１は、ピアノ又はオルガン用の椅子８の高さと演奏者の体格とに基づいて厚みを変えられる板状部材２と、板状部材２の上面を覆う柔軟部材３と、板状部材２の前面側の隅角部を覆う低反発ウレタンフォーム５と、板状部材２及び柔軟部材３並びに低反発ウレタンフォーム５を収容する袋状部材４と、全体を覆うカバー部材６と、を備えている。
【００１６】
板状部材２は、複数の板片２１、２２、２３を重ねて構成されている。各板片２１（２２、２３）は、１つの端面（ピアノ側、前面側）が斜めに切り落とされた四角形の板である。各板片２１（２２、２３）の厚みは、例えば、１ｃｍ〜３ｃｍとすることができる。各板片の材料としては、人間が乗っても大きく変形しない程度の剛性を有する素材、例えば押出発砲ポリスチレンフォームの断熱材・保温材、を用いることができる。具体的には、商品名「スタイロフォーム（登録商標）」を用いることができる。スタイロフォーム（登録商標）は、ボード、板タイプの断熱材であり、以下の特徴を備える。すなわち、熱を伝えにくい、水を吸収しない、軽くて丈夫、加工が容易、といった特徴がある。このように、軽く、かつ、剛性の高い素材を用いることで、座っても凹むことなく、子供でも持ち運べるようになる。
【００１７】
そして、各板片２１、２２、２３の斜めに切り落とされた端面が合成されて傾斜部２４が形成されている。さらに、最下部に位置する板片２１の底面は、椅子８の上面の凸形状に対応するように、凹形状になっている。より詳細にいえば、荷重が作用していない状態では、椅子８の上面のクッション部の凸形状よりも、傾斜の緩やかな凹形状となっている。そして、荷重が作用することで椅子８の上面のクッション部が潰されるように変形して両者が密着するようになる。さらに、密着性を高めるために、最下部の板片２１のさらに下方に低反発ウレタンフォームをさらに配置することもできる。
【００１８】
柔軟部材３としては、例えば、シート状に形成された綿（オーガニック・コットン）を複数枚（例えば４枚）重ねて用いることができる。柔軟部材３を板状部材２の上に重ねることにより、座面が柔らかくなって座り心地がよくなるとともに、臀部とクッション１のフィット感が向上する。
【００１９】
低反発ウレタンフォーム５は、低反発弾性フォームとも称する。低反発ウレタンフォーム５は、衝撃吸収性に優れ、荷重が作用したときに応力が分散されて、局部的な圧力がかからないという性能をもっている。低反発ウレタンフォーム５は、足が接触する板状部材２の隅角部に取り付けられるため、長時間の練習によって足（太もも）の裏側が擦れて痛くなることを防止できる。
【００２０】
袋状部材４は、板状部材２及び柔軟部材３並びに低反発ウレタンフォーム５を収容して形状を維持するために正に丁度よい大きさ（ぴったり）に形成されている。素材としては、布が好ましい。家庭内での使用等で、カバー部材６を用いる必要のない場合には、袋状部材４が表面素材となる。
【００２１】
カバー部材６は、袋状部材４を覆うものであり、キルティング素材などによって袋状に形成される。カバー部材６には、長さ調節可能な肩掛けベルト７が取り付けられている。カバー部材６の色は、ピアノ発表会で使用することを考慮して地味な色彩（例えば、黒色）とすることが好ましい。カバー部材６の開口部は、両側に配置したマジックテープ（登録商標）によって閉じることが好ましい。これによって、肩掛けベルト７を開口部から内部に折り込み、肩掛けベルト７を外部から見えないように収納できる。
【００２２】
肩掛けベルト７は、クッション１を持ち運ぶ（携帯する）ときに肩に掛けられ、クッション１を椅子８に固定するときに椅子８の昇降するクッション部に掛け回して取り付けられる。肩掛けベルト７は、麻などの伸縮性のない繊維によって形成してもよいが、ゴムなどの弾性部材によって形成することで、椅子８への固定がより容易になる。
【００２３】
椅子８は、クッション部が上下することで無段階昇降が可能になっている。すなわち、クッション部の下方であって４本の脚部の上方には、Ｘ字状に交差するリンク部材が配置されている。そして、ダイヤルなどを回転することで、リンク部材の開閉度合を調整することによって、クッション部の高さを調整できる。
【００２４】
（作用）
本実施例のクッション１の作用について説明する。まず、クッション１の高さｈ１が低い状態について説明する。低い状態では、例えば、１枚の板片２１を用いる。これによって、１枚分の厚みに相当する高さｈ１となる。また、下方の１枚の板片２１は、上方の板片２２、２３よりも前後の幅が広いので、相対的に身体の大きい人の荷重を支持しやすい。そして、高さｈ１分だけ、椅子８の座面よりも臀部の位置を上方に移動させることができる。したがって、従来の椅子８を最高位置まで持ち上げても、高さが少し不足する程度の身長（座高）の子供にとって、丁度よい高さを作り出すことができる。
【００２５】
次に、クッション１の高さｈ２が高い状態について説明する。高い状態では、例えば、３枚の板片２１、２２、２３を用いる。これによって、３枚分の厚みに相当する高さｈ２となる。上方の板片２３は、下方の２枚の板片２１、２２よりも前後の幅が狭いが、相対的に身体の小さい人にとっては支障がない。そして、高さｈ２分だけ、椅子８の座面よりも臀部の位置を上方に移動させることができる。したがって、従来の椅子８を最高位置まで持ち上げても、高さがかなり不足する程度の身長（座高）の子供にとって、丁度よい高さを作り出すことができる。
【００２６】
（効果）
次に、本実施例のクッション１の奏する効果を列挙して説明する。
【００２７】
（１）本実施例のクッション１は、ピアノ又はオルガン用の椅子に載置されて高さを調整するためのクッション１である。そして、クッション１は、ピアノ又はオルガン用の椅子の高さと演奏者の体格とに基づいて厚みを変えられる板状部材２と、板状部材２の上面を覆う柔軟部材３と、板状部材２及び柔軟部材３を収容する袋状部材４と、を備えている。
【００２８】
このため、板状部材２自体はそれほど変形せずに一定の高さを保持できる。すなわち、例えば、座布団などを用いると、変形量が大きいため、高さを調整することが難しい。これに対して、本実施例のように、変形量が小さい板状部材２を用いれば、高さ調節が容易になる。
【００２９】
（２）板状部材２は、演奏者の足が当たる部位が面取りされている傾斜部２４を有することで、長時間のレッスン後であっても、足（太もも）の後側が痛くなることはない。そして、後述するように、複数の板片２１、２２、２３がそれぞれ、端面が斜めになっているため、いずれの板片２１が最上部にある場合でも、演奏者の足が当たる隅角部が面取りされていることになる。
【００３０】
（３）板状部材２と柔軟部材３との間に、板状部材２の隅角部から傾斜部２４に沿って低反発ウレタンフォーム５をさらに備えることで、長時間のレッスン後であっても、いっそう足の痛みを防止できるようになる。さらに、低反発ウレタンフォーム５は、ゆっくりと変形する特性を有するため、演奏中の足の左右方向の位置が安定するという効果もある。
【００３１】
（４）板状部材２は、複数の板片２１、２２、２３を重ねて構成されることによって、それぞれ所定の厚みを有している板片２１、２２、２３の枚数を調整することで、クッション１の全体の厚み（高さ）をきわめて容易に調整できる。さらに、事前に高さを調整していれば椅子８に載置するだけであるため、ピアノ発表会においても、クッション１を載置するだけで迅速に高さ調整できる。
【００３２】
（５）袋状部材３を覆うカバー部材６をさらに備え、カバー部材６には携帯用の肩掛けベルト７が取り付けられるとともに、肩掛けベルト７は、クッション１を椅子８に固定するためにも用いることができる。このため、両手でクッション１を抱えることなく、スマートな姿勢でクッション１を運搬できるとともに、外観を損なうことなくクッション１を椅子８に固定できる。
【００３３】
（６）板状部材２の底面は、ピアノ又はオルガン用の椅子８の上面の凸形状に対応する凹形状となっていることで、椅子８に対するクッション１の密着性が高まり、演奏者が座った状態の安定感が高まる。
【００３４】
以上、図面を参照して、本発明の実施例を詳述してきたが、具体的な構成は、この実施例に限らず、本発明の要旨を逸脱しない程度の設計的変更は、本発明に含まれる。
【００３５】
例えば、実施例では、板状部材２として３枚の板片２１、２２、２３を使用する場合について説明したが、これに限定されるものではなく、例えば１０枚など、板片は何枚であってもよい。
【００３６】
また、実施例では、袋状部材４とカバー部材６とが、別個の構成として説明したが、これに限定されるものではなく、袋状部材４とカバー部材６とを兼用することもできる。
【００３７】
なお、実施例では、特に説明しなかったが、板片２１、２２、２３は、板片２１、２２、２３どうしがずれないように、互いに嵌合する凹凸形状を有することもできる。
【符号の説明】
【００３８】
ｈ１、ｈ２  高さ
１          クッション
２          板状部材
２１−２３  板片
２４        傾斜部
３          柔軟部材
４          袋状部材
５          低反発ウレタンフォーム
６          カバー部材
７          肩掛けベルト
８          椅子
９          ピアノ
【要約】
【課題】子供の使用に適しており、かつ、迅速に高さ調整できる、ピアノ用の椅子に載置されて高さを調整するためのクッションを提供する。
【解決手段】クッション１は、ピアノ又はオルガン用の椅子に載置されて高さを調整するためのクッション１である。そして、クッション１は、ピアノ又はオルガン用の椅子の高さと演奏者の体格とに基づいて厚みを変えられる板状部材２と、板状部材２の上面を覆う柔軟部材３と、板状部材２及び柔軟部材３を収容する袋状部材４と、を備えている。板状部材２は、演奏者の足が当たる部位が面取りされている傾斜部２４を有する。
【選択図】図１【図１】
0005669980.tif 000002
【図２】
0005669980.tif 000003
【図３】
0005669980.tif 000004
【図４】
0005669980.tif 000005